(57)【特許請求の範囲】
【請求項１】
リベット等の留め具を用具本体及び綴じ具の双方に係り合わせてこれら用具本体と綴じ具とを結合するようにしたものであって、
綴じ具における前記留め具が係り合っている領域の少なくとも一部を含む部位に、他の部位に比べ強度的に劣る破壊容易部分を設け、この破壊容易部分を破壊して取り除くことにより、前記留め具と綴じ具との係り合いを解除し得るようにし、
綴じ具の一部分に、治具を挿入することの可能な治具挿入部を設け、この治具挿入部に挿入した治具の先端部を持ち上げるような操作力を付与することによって破壊容易部分を破壊して取り除くことができるようにしたことを特徴とするファイリング用具。
【請求項２】
破壊容易部分を取り除いた状態から綴じ具を用具本体に対してスライドさせることにより、前記留め具と綴じ具との係り合いが解除されるようにした請求項１記載のファイリング用具。
【請求項３】
破壊容易部分の一部又は全部が綴じ具の裏面に開口する有底溝により囲まれてなるものである請求項１又は２記載のファイリング用具。
【請求項４】
綴じ具の一部分に、治具を挿入することの可能な治具挿入部を設け、この治具挿入部に治具を挿入して所定操作することにより破壊容易部分を破壊して取り除くことができるようにし、前記治具挿入部の内壁面のうち、分離操作時に前記治具の先端が当接し得る面を傾斜させている請求項１、２又は３記載のファイリング用具。
【請求項５】
複数箇所に留め具を配置し、各留め具に対応させてそれぞれ治具挿入部を設けているものであって、対応する治具挿入部と留め具との相対位置関係を全て同一に設定した請求項４記載のファイリング用具。
【請求項６】
リベットの首部を用具本体及び綴じ具に設けた貫通孔に貫通させ、前記首部の各端部に設けた頭部をそれぞれ用具本体及び綴じ具の表面に係り合わせてこれら用具本体と綴じ具とを結合するようにしたものであって、
綴じ具に設けた前記貫通孔に隣接する部位に、他の部位に比べ強度的に劣る破壊容易部分を設け、この破壊容易部分を破壊して取り除くことにより、リベットの頭部を挿通させ得る大きさを有した頭部挿通孔が前記貫通孔に連続して形成されるようにし、
綴じ具の一部分に、治具を挿入することの可能な治具挿入部を設け、この治具挿入部に挿入した治具の先端部を持ち上げるような操作力を付与することによって破壊容易部分を破壊して取り除くことができるようにしたことを特徴とするファイリング用具。
【発明の詳細な説明】
【０００１】
【発明の属する技術分野】
本発明は、書類や資料を内部に設けた綴じ具に綴じて、容易に着脱できるように保管、保存することができるバインダーやファイル等のファイリング用具に関する。
【０００２】
【従来の技術】
従来、この種のファイリング用具は、表紙部、背紙部及び裏表紙部を備えた用具本体と、前記背紙部の裏面に例えばリベットにより容易には離脱できないように固定された綴じ具とを備えている。この用具本体は、厚手の紙や硬質合成樹脂等により作られており、その一方で綴じ具は、金属や硬質樹脂等から作られている。
【０００３】
ところで、近年地球の環境問題に対する懸念から、例えば製造物を廃棄する場合に、再利用できるものとできないものとに分別したり、あるいは可燃物と不燃物とに分別したりして、資源の再利用や焼却時に排出される有害物質の低減化等を促進することが広く一般化しつつあるのは周知の事実である。
【０００４】
【発明が解決しようとする課題】
しかしながら、上述した従来のファイリング用具では、用具本体と綴じ具とを乖離させて分別廃棄しようとしても、リベットにより強固に結合されているので、容易に分別できないという不具合が生じる。またドリル等の特別の工具を用いて、リベットや綴じ具を塑性変形させて分離させる方法では、分離操作が煩雑となるだけでなく専用の工具を必要とし、危険を伴うという問題も生じる。
【０００５】
そこで本発明は、このような不具合を解消することを主たる目的としており、用具本体及び綴じ具に特別な加工や部品の追加することなく、また非日常的な工具を用いることなく、用具本体から綴じ具を容易に分離し得るファイリング用具を提供するものである。
【０００６】
【課題を解決するための手段】
すなわち、本発明はリベット等の留め具を用具本体及び綴じ具の双方に係り合わせてこれら用具本体と綴じ具とを結合するようにしたものであって、綴じ具における前記留め具が係り合っている領域の少なくとも一部を含む部位に、他の部位に比べ強度的に劣る破壊容易部分を設け、この破壊容易部分を破壊して取り除くことにより、前記留め具と用具本体との係り合いを解除し得るようにし、綴じ具の一部分に、治具を挿入することの可能な治具挿入部を設け、この治具挿入部に挿入した治具の先端部を持ち上げるような操作力を付与することによって破壊容易部分を破壊して取り除くことができるようにしたことを特徴とする。ここで綴じ具とは、綴じる目的物に綴じ孔をあけて、その綴じ孔にパイプ、リング等を挿入して綴じる構成のものや、書類を挟み込んで保持するもの等のことをいう。
【０００７】
このようなものであれば、破壊容易部分が未破壊の状態においては、用具本体及び綴じ具が留め具を介して結合状態にあり、そしてこの破壊容易部分に比較的弱い力を加えて破壊することで、留め具と綴じ具との係り合いを解除し、留め具及び用具本体から綴じ具を離脱し得るものとなる。ここで、例えば綴じ具等を破壊せずに塑性変形させて留め具との係り合いを解除するようにした場合、綴じ具の強度を考慮して塑性変形しやすく設計する必要が生じるため、綴じ具の一部を破壊して留め具との係り合いを解除するようにした本発明の方が、綴じ具の設計に制約を受けにくい。また、塑性変形の課程で生じる変形部分で負傷しやすいなどの安全性の不安があるが、本発明の場合は破壊用位部分を破壊して取り除くようにしているので、このような安全性の不安が解消されることとなる。
【０００８】
留め具から綴じ具を離脱するための具体的な態様としては、破壊容易部分を取り除いた状態から綴じ具を用具本体に対してスライドさせることにより、前記留め具と綴じ具との係り合いが解除されるように構成することが考えられる。
【０００９】
さらに、破壊容易部分の一部又は全部が綴じ具の裏面に開口する有底溝により囲まれてなるようにすればより好適である。ここで綴じ具の裏面とは、用具本体と接する面のことをさす。有底溝とは、貫通していない凹みの溝の全般をさす。
【００１０】
このようなものであれば、有底溝の形成された部分の強度が他の部分と比較して著しく劣るため、この溝に沿って容易に破壊し得ることとなる。また、綴じ具の裏面に開口させてあるので、表面からはこの有底溝を認識されずに済むため、美観を損なわずに破壊容易部分を構成し得ることとなる。
【００１１】
また、破壊容易部分を簡単に取り除くことができるようにするためには、綴じ具の一部分に治具を挿入することの可能な治具挿入部を設け、この治具挿入部に治具を挿入して所定操作することにより破壊容易部分を破壊して取り除くことができるようにし、前記治具挿入部の内壁面のうち、分離操作時に前記治具の先端が当接し得る面を傾斜させたものが望ましい。ここで、治具とは、マイナスのドライバなどの日常的な道具全般をさす。所定操作とは、例えば、差し込んだ治具の先端を持ち上げる方向に力を加える操作をさす。
【００１２】
さらに、複数箇所に留め具を配置し、各留め具に対応させてそれぞれ治具挿入部を設けているものであって、対応する治具挿入部と留め具との相対位置関係を全て同一に設定したものであれば、留め具に対して治具挿入部を右手前に位置するように用具本体を設定しておくことにより、例えば右利きの者が前記所定操作を行うときに、全ての治具挿入部が留め具に対して右手前に位置することになるので、複数箇所の破壊容易部分を短時間で破壊し得ることとなる。
【００１３】
また、留め具と綴じ具との係り合いを解除し、留め具及び用具本体から綴じ具を容易に離脱し得るような構成を、操作性、安全性、美観を考慮して実現させるためには、リベットの首部を用具本体及び綴じ具に設けた貫通孔に貫通させ、前記首部の各端部に設けた頭部をそれぞれ用具本体及び綴じ具の表面に係り合わせてこれら用具本体と綴じ具とを結合するようにしたものであって、綴じ具に設けた前記貫通孔に隣接する部位に、他の部位に比べ強度的に劣る破壊容易部分を設け、この破壊容易部分を破壊して取り除くことにより、リベットの頭部を挿通させ得る大きさを有した頭部挿通孔が前記貫通孔に連続して形成されるようにし、綴じ具の一部分に、治具を挿入することの可能な治具挿入部を設け、この治具挿入部に挿入した治具の先端部を持ち上げるような操作力を付与することによって破壊容易部分を破壊して取り除くことができるようにした構成であることが望ましい。
【００１４】
【発明の実施の形態】
以下、本発明の一実施形態について図面を参照して説明する。
【００１５】
図１は、本発明の一実施形態を示すファイリング用具の要部を示す斜視図である。このファイリング用具は、用具本体１と、この用具本体１に固定された綴じ具２とを備えている。
【００１６】
各部を簡単に説明すると、この用具本体１は、表紙部１１、背紙部１２及び裏表紙部１３を備えた厚手の紙を素材とするものであって、表紙部１１と背紙部１２との境界、及び裏表紙部１３と背紙部１２との境界に折り目を設けて、表紙部１１及び裏表紙部１３を背紙部１２に対して折り曲げ可能に構成してある。
【００１７】
綴じ具２は、図２に示すように、硬質合成樹脂製のものであって、矩形平板状をなす取付板２１と、この取付板２１の一方の側縁部に折りまげ可能に一体に設けられた支持板２２と、この支持板２２の表面から一体に起立する一対のパイプ状の綴杆２３と、これら綴杆２３に先端から抜脱可能に差し込まれる一対のスライドロッド２４と、このスライドロッド２４を支持する押さえ板２５と、前記取付板２１の他方の側縁部から起立する起立板２６とを具備するものである。前記取付板２１、支持板２２、綴杆２３及び起立板２６は、射出成形により一体に形成されたものである。そして書類に設けたパンチ穴に綴杆２３を貫通させ、その後スライドロッド２４を綴杆２３に差し込んで押さえ板２５と起立板２６とを係り合わせることにより、書類を保持するものである。また、書類をはずす時は逆の操作を行う。この綴じ具２は背紙部１２の裏面に留め具たるリベット３を利用して取り付けてある。具体的には、図３に示すように綴じ具２の取付板２１の四隅近傍にリベット３の首部３１外径と略同一の径の貫通孔２７を設けるとともに、これら貫通孔２７に重合するように背紙部１２にも貫通孔１４を設け、一端部にのみ頭部３２を形成したリベット３の首部３１を用具本体１及び綴じ具２に設けた貫通孔２７に貫通させ、貫通させた首部３１の他端部をかしめて頭部３３を形成し、前記首部３１の両端部に設けた頭部３２，３３をそれぞれ背紙部１２及び綴じ具２の表面に係り合わせてこれら用具本体１と綴じ具２とを結合している。ここで、綴じ具２におけるリベット３の係り合っている領域は図３の２８１に示す部分である。
【００１８】
しかして、本実施形態では、図４〜図７に示すように、綴じ具２を裏面から見ると、前記貫通孔２７に隣接する部位に、他の部位に比べ強度的に劣る破壊容易部分２８２が、前記取付板２１、支持板２２、綴杆２３及び起立板２６とともに射出成形により一体に形成されている。そして、この破壊容易部分２８２を破壊して取り除くことにより、リベット３の頭部３３を挿通させ得る大きさを有した頭部挿通孔２８３が前記貫通孔２７に連続して形成されるようにしている。具体的には、前記貫通孔２７の対向する部位から同一方向に延びる互いに平行な二筋の有底溝２８を設けるとともに、これら有底溝２８の端部同士を連結する位置にスリット状の治具挿入部たる治具挿入孔２９を設け、これら有底溝２８、治具挿入孔２９、貫通孔２７に囲まれて、前記領域２８１を一部含むような破壊容易部分２８２が形成されるようにしている。また、有底溝２８は、綴じ具２の取付面でもある裏面に開口するもので、前記各有底溝２８の長さと各有底溝２８の間隔は、いずれもリベット頭部３２，３３の外径よりも大きくなるように設定してある。なお、治具挿入孔２９における前記貫通孔２７寄りの内壁面２９１は、取付板２１の垂直面に対して傾斜させてある。また、有底溝２８の底面２８４は、傾斜させてあって、その部分での取付板２１の厚み寸法が外側で最も小さくなるように設定してある。
【００１９】
このような構成において、ファイリング用具が不要になった場合等、綴じ具２を用具本体１から取り外し分別する場合の説明を図８に示す。まず治具挿入孔２９にマイナスのスクリュードライバＳＤ等を差し込み、治具挿入孔２９の反貫通孔寄りの内壁面上端を支点にして回転させる等して、その先端を持ち上げるような力を加える。ここで、この治具挿入孔２９の前記貫通孔２７寄りの内壁面２９１は、傾斜させてある。したがって、治具挿入孔２９から挿入した治具ＳＤの先端を持ち上げるような力が有効に破壊容易部分２８２を持ち上げるような力となり、しかも有底溝２８の形成してある部分は、他の部分より厚みが小さく強度的に弱いので、この有底溝２８に沿って綴じ具２の一部が破損し、有底溝２８と、貫通孔２７と、治具挿入孔２９に囲まれた前記破壊容易部分２８２を取り除くことができる。この破壊容易部分２８２を切り出して形成された孔が頭部挿通孔２８３に相当する（図９参照）。次に、綴じ具２を用具本体１に対して、例えばハンマー等で衝撃を与えスライドさせ、リベット３の位置を前記貫通孔２７から前記頭部挿通孔２８３の位置に移動させる（図１０）。ここで、頭部挿通孔２８３の幅はリベット３の頭部の外径よりも大きいため、この位置で綴じ具２を背紙部１２の面板方向に垂直な方向に移動させると、綴じ具２は留め具及び用具本体１から離脱することになる。
【００２０】
このように、本実施形態に係るファイリング用具であると、綴じ具２から破壊容易部分２８２を取り除いて、綴じ具２を用具本体１に対してスライドさせることのみで綴じ具２を容易に留め具や用具本体１から離脱できるので、それぞれを分別して材質ごとに廃棄し得ることとなる。
【００２１】
なお、本発明は以上説明した実施例に限定されるものではない。上記実施例では、前記治具挿入部は綴じ具２の取付板２１を貫通する治具挿入孔２９で構成されていたが、例えば、貫通していない窪みで強度的に他の部分より劣るような形状の治具挿入部でも構わない。この場合に綴じ具を留め具から離脱させる際には、治具を前記治具挿入部に挿入し、窪みの底部を治具で突き破り、そのまま治具の先端を持ち上げるように力を加えて、破壊容易部分を取り除くようにすればよい。
【００２２】
また、上記の実施例では用具本体１の形状を表紙部１１、背紙部１２及び裏表紙部１３を有するものとして説明したが、いわゆる用箋挟やクリップボードのような一枚の板体からなるものであってもよい。また、綴じ具の用具本体１に対する取付位置は、前記実施形態に限られない。
【００２３】
さらに綴じ具２は、上記実施例で説明した、スライドロッドのついた形式のものの他に、ルーズリーフ式のようなリング式のもの、押さえ金具をレバーにて操作して書類等をその押さえ金具と押さえ金具を支持する綴じ具との間で挟持するいわゆるＺ式綴じ具等、当該分野で広く知られている綴じ具を適用することができる。また、綴じ具２の取付位置についても、背紙部の他に、背紙部との境界近傍の裏表紙部に取り付けるものであってもよい。
【００２４】
その他、各部の構成は図示例に限定されるものではなく、本発明の趣旨を逸脱しない範囲で種々変形が可能である。
【００２５】
【発明の効果】
以上に詳述したように本発明によれば、綴じ具における留め具が関わり合っている領域の少なくとも一部を含む部位に、他の部位に比べ強度的に劣る破壊容易部分を設け、この破壊容易部分をドライバなどの日常的な治具を用いて破壊して取り除き、綴じ具を用具本体に対してスライドさせるのみで、用具本体や留め具から容易に離脱が可能となる。また、破壊容易部分は綴じ具の取付部の裏面に開口した有底溝により構成されるので、表面の滑らかな外観を維持したままで、破壊容易部分を具備し得ることとなる。したがって、容易かつ安全な分離操作を行うことだけで、ファイリング用具の分別廃棄が可能となり、資源の再利用や効率的な廃棄処理に供することが可能となる。
【図面の簡単な説明】
【図１】本発明の一実施形態におけるファイリング用具の要部を示す斜視図。
【図２】同実施形態におけるファイリング用具の要部を示す分解斜視図。
【図３】同実施形態における綴じ具の取付方法を説明する断面図。
【図４】同実施形態における綴じ具の一部を裏面からみた斜視図。
【図５】同実施形態における綴じ具の要部を裏面からみた平面図。
【図６】図５におけるＡ−Ａ線に沿った断面図。
【図７】図５におけるＢ−Ｂ線に沿った断面図。
【図８】同実施形態における破壊容易部分の破壊方法を説明する断面図
【図９】同実施形態における破壊容易部分を取り除いた状態を示す斜視図。
【図１０】同実施形態における破壊容易部分を取り外した部分平面図。
【符号の説明】
１・・・用具本体
２・・・綴じ具
３・・・リベット
２１・・・取付板
２７・・・貫通孔
２８・・・有底溝
２９・・・治具挿入孔
２８２・・・破壊容易部分
２８３・・・頭部挿通孔
３２・・・リベット頭部
３３・・・リベット頭部
【図１】
0003808305.tif 000002
【図２】
0003808305.tif 000003
【図３】
0003808305.tif 000004
【図４】
0003808305.tif 000005
【図５】
0003808305.tif 000006
【図６】
0003808305.tif 000007
【図７】
0003808305.tif 000008
【図８】
0003808305.tif 000009
【図９】
0003808305.tif 000010
【図１０】
0003808305.tif 000011